(57)【要約】本発明は、閉じた金型位置と開いた金型位置との間を移動可能な金型半体を搬送するアームを含み、各金型半体はその冷却のための軸方向通路を有するタイプの、中空ガラス製品を成形するのに使用される機械の金型を冷却するシステム及び方法に関する。システムは、異なる金型のサイズへの適合と、閉じた金型位置と開いた金型位置との間の任意の位置での金型半体の冷却とを可能にする。このために、システムは高さ調節可能な上部プレートを有し、金型の軸方向通路への冷却流体の分配のためのチャンバーを上部プレートの上で移動させ、冷却ダクトがプレナムボックスからの冷却流体を提供するように前記上部プレートに接続される。
2018538232.tif 000002
【特許請求の範囲】
【請求項１】
ガラス容器成形機用の金型冷却システムであって、
金型半体を含む少なくとも１つの金型ホルダーであって、前記金型ホルダー及び金型半体は、前記ガラス製品を成形するための閉じた金型位置と、前記製品を解放するための開いた金型位置との間で移動可能であり、前記金型半体の各々は、前記金型半体の各々を冷却するための軸方向通路を有する、金型ホルダーと、
前記金型半体の各々の軸方向通路の各々に冷却流を提供する手段と、
上部固定支持部と可動支持部とを含む支持構造体であって、前記上部固定支持部は、前記冷却流を提供する手段を取り付けるための少なくとも一連の第１開口部と、少なくともガラス製品成形機構を取り付けるための一連の第２開口部とを含み、前記可動支持部は、少なくとも一連の第１開口部と、前記ガラス製品成形機構を連結するための一連の第２開口部とを含み、前記冷却流を提供する手段は、前記一連の第１開口部の各々に冷却流を通すために前記可動支持部に連結され且つ前記一連の第１開口部の各々と一致し、前記可動支持部は前記上部固定支持プレートより上に位置し、前記冷却流を提供するための手段及び前記ガラス製品成形機構は、上方又は下方への移動で前記固定支持部内を移動可能である、支持構造体と、
前記可動支持部より上に位置する冷却流分配手段であって、前記冷却流分配手段は、前記冷却流の通過のために前記可動支持部の一連の第１開口部の各々と一致する下部と、各金型の各半体の軸方向通路の各々と一致する上部とを有し、前記冷却流分配手段は、前記ガラス製品を成形するための前記閉じた金型位置と前記製品の解放のための前記開いた金型位置との間で移動可能であり、前記冷却流を提供するための手段は、ガラス製品を成形するための閉じた金型位置と前記製品の解放のための開いた金型位置との間の任意の位置で各金型の半体を冷却するために前記第１開口部の各々を通して冷却流を供給することによる、冷却流分配手段と、
各金型の高さに応じて前記可動支持部及び前記冷却流分配手段の高さを調節する調節手段と
を含むタイプのガラス容器成形機用の金型冷却システム。
【請求項２】
前記冷却流を提供する手段と前記ガラス製品成形機構は、前記ガラス製品成形プロセスに従って、前記可動支持部と共に調節される、請求項１に記載のガラス容器成形機用の金型冷却システム。
【請求項３】
前記冷却流分配手段は、前記金型ホルダーと、金型を開閉するための一対のアームとを一緒に移動させるように、前記金型ホルダーに連結される、請求項１に記載のガラス容器成形機用の金型冷却システム。
【請求項４】
前記支持構造体は中空部分を含む、請求項１に記載のガラス容器成形機用の金型冷却システム。
【請求項５】
前記中空部分は、冷却流を供給する空気プレナムボックスである、請求項４に記載のガラス容器成形機用の金型冷却システム。
【請求項６】
前記冷却流を提供する手段はダクトである、請求項１に記載のガラス容器成形機用の金型冷却システム。
【請求項７】
前記冷却流を提供する手段は、前記支持構造体の内部に配置される、請求項１に記載のガラス容器成形機用の金型冷却システム。
【請求項８】
前記冷却流を提供する手段は、各金型の半体の各々の前記軸方向通路の各々への前記冷却流の流れを連続的又は断続的に調節するためのタイマー手段を含む、請求項１に記載のガラス容器成形機用の金型冷却システム。
【請求項９】
前記冷却流分配手段は、各金型の半体の各々の前記軸方向通路の各々への前記冷却流の通過を連続的又は断続的に調節するためのタイマー手段を含む、請求項１に記載のガラス容器成形機用の金型冷却システム。
【請求項１０】
前記冷却流分配手段は、冷却流分配チャンバーであり、前記分配チャンバーは、少なくとも１つの個別中空チャンバーを含み、各個別中空チャンバーは、冷却流の通過のために前記可動支持部の一連の第１開口部と一致する下側周壁又接触領域と、その上部にある前記金型半体の各々の前記軸方向通路の各々のための冷却流の出口用の少なくとも１つの開口部とを有する、請求項１に記載のガラス容器成形機用の金型冷却システム。
【請求項１１】
前記冷却流分配チャンバーの上部は、支持プレートを含み、前記支持プレートは、個別の半円形開口部を含み、前記個別の半円形開口部は、前記分配チャンバーの個別中空チャンバーの各々の上部の開口部と一致し且つ各金型半体の軸方向通路の各々と一致する、請求項１０に記載のガラス容器成形機用の金型冷却システム。
【請求項１２】
前記冷却流分配手段は、前記金型ホルダー及び金型半体の底部に連結される、請求項１に記載のガラス容器成形機用の金型冷却システム。
【請求項１３】
ガラス製品成形機構が、ガラス製品のパリソンを成形するためのピストンアセンブリである、請求項１に記載のガラス容器成形機用の金型冷却システム。
【請求項１４】
ガラス製品成形機構が、ガラス製品を成形するための底部機構である、請求項１に記載のガラス容器成形機用の金型冷却システム。
【請求項１５】
前記調節手段は前記ガラス製品成形機構に連結される、請求項１に記載のガラス容器成形機用の金型冷却システム。
【請求項１６】
前記調節手段は前記可動支持部に連結される、請求項１に記載のガラス容器成形機用の金型冷却システム。
【請求項１７】
前記冷却流を提供する手段は、少なくとも１つの個別チャンバーを含む分配要素を含み、このような個別チャンバーは、前記冷却流を提供する手段と前記冷却流分配手段との間の移行チャンバーとして機能する、請求項１に記載のガラス容器成形機用の金型冷却システム。
【請求項１８】
ガラス製品成形機用の金型冷却方法であって、
金型半体を含む少なくとも１つの金型ホルダーを提供するステップであって、前記金型ホルダー及び金型半体は、前記ガラス製品を成形するための閉じた金型位置と、前記製品を解放するための開いた金型位置との間で移動可能であり、前記金型半体の各々は、前記金型半体の各々を冷却するための軸方向通路を有する、ステップと、
前記金型半体の各々の軸方向通路の各々に冷却流を供給する手段を提供するステップと、
支持手段を提供するステップであって、前記支持手段は、前記冷却流を供給する手段を取り付けるための少なくとも一連の第１開口部と、少なくとも１つのガラス製品成形機構の組み立てのための一連の第２開口部とを含む上部固定支持部と、少なくとも複数の第１開口部と、前記ガラス製品成形機構を連結するための複数の第２開口部とを有する可動支持部とを含み、前記冷却流を供給する手段は、前記一連の第１開口部の各々に冷却流を通過させるために前記可動支持部に接続され且つ前記一連の第１開口部の各々と一致し、前記可動支持部は、前記上部固定支持部より上に位置し、前記冷却流を供給する手段及び前記製品を成形するための機構は、上方又は下方への移動で前記固定支持部内を移動可能である、ステップと、
冷却流を分配する手段を前記可動支持部より上に配置するステップであって、前記冷却流を分配する手段は、前記冷却流の通過のために前記可動支持部の前記複数の第１開口部の各々と一致する下部と、各金型の半体の各々の冷却通路の各々と一致する上部とを有する、ステップと、
各金型の高さに応じて前記可動支持部と前記冷却流分配手段の高さを調節するステップと、
前記冷却流分配手段の各々に前記冷却流を流すために前記可動支持部の前記一連の第１開口部の各々に冷却流を導入するステップと、
少なくとも１つの金型半体の一連の冷却通路を通して冷却流を分配するステップであって、前記冷却流分配手段は、前記ガラス製品を成形するための閉じた金型位置と前記製品の解放のための開いた金型の位置との間で移動可能であり、前記冷却流を提供する手段は、前記ガラス製品の成形のための閉じた金型位置と前記製品の解放のための開いた金型位置との間の任意の位置で各金型の半体を冷却するために前記第１
開口部の各々を通して冷却流を供給することによる、ステップと
を含む、ガラス製品成形機用の金型冷却方法。
【請求項１９】
前記冷却流を提供する手段と前記製品成形機構とを前記可動支持部で同時に調節するステップを含む、請求項１８に記載のガラス製品成形機用の金型冷却方法。
【請求項２０】
各金型の半体の各々において冷却流を連続的又は断続的に制御するステップを含む、請求項１８に記載のガラス製品成形機用の金型冷却方法。
【請求項２１】
前記可動支持部の高さを調節するステップは、
ガラス製品を成形するために高さ調節機構をピストン機構に連結することと、
前記ピストン機構の高さ、前記可動支持部及び前記冷却流を提供する手段の高さを同時に調節することと
を含む、請求項１９に記載のガラス製品成形機用の金型冷却方法。
【請求項２２】
前記可動支持部の高さを調節するステップは、
前記ガラス製品を成形するための底部機構に前記高さ調節機構を連結することと、
前記底部機構の高さ、前記可動部及び前記冷却流を提供する手段の高さを同時に調節することと
を含む、請求項１９に記載のガラス製品成形機用の金型冷却方法。
【請求項２３】
前記冷却流を供給する手段と前記冷却流分配手段との間に独立したチャンバーを有する一次分配器を設けるステップを含む、請求項１８に記載のガラス製品成形機用の金型冷却方法。
【請求項２４】
前記支持手段はプレナムボックスを含む、請求項１８に記載のガラス製品成形機用の金型冷却方法。
【発明の詳細な説明】
【技術分野】
【０００１】
本発明は、熱金型の冷却に関し、より具体的には、ガラス製品成形機の熱金型を冷却するシステム及び方法に関する。
【背景技術】
【０００２】
ガラス容器のような高品質のガラス製品の高い生産速度は、金型がパリソン成形側では制御された方法で冷却され、モールド側では製品を可能な限り速く固めることができるようにより大きな冷却能力を有することを必要とする。
【０００３】
従来、金型の冷却は空気を加圧下で機械のフレームに通すことによって行われ、空気は金型保持クランプに向けられた。しかし、それは大きい容積、高い圧力、及びその結果として十分な金型を冷却するのに大きさの空気流を必要とした。
【０００４】
上記のことにもかかわらず、このタイプの冷却の問題点は、熱の放散が金型において、その結果、新たに成形されたガラス容器においても均一でなかったことである。製造の品質を制限する容器の予備成形又は吹き込み成形中のガラスの理想的な分配のために高い温度要件を有する容器の領域が存在することが知られている。ひとたびモールド側に来ると、必要とされるのは、生産速度を上げるために、金型を冷却し且つ／又は製品を最小時間で固めるための最大可能空気流である。
【０００５】
従って、現在はより高速の機械があるため、生産要求を満たすためにより迅速に金型を冷却する必要がある。
【０００６】
金型の冷却のためにいくつかの発展形態が生じた。特許文献１、特許文献２、特許文献３及び特許文献４は、金型半体の本体に複数の軸方向通路を設けることと、金型の底部から又は頂部による前記通路を通る空気流の導入とに関する。
【０００７】
しかしながら、これらの金型冷却システムの一部は、金型が閉じているときにのみ冷却システムが冷却作用を行うため、緩やかな蓄熱を継続する。他の冷却システムでは、金型は３６０°のサイクル中も冷却することができるが、この冷却が行われる効率は、システムの過剰な損失のために高い空気圧を必要とし、容器の製造コストを増加させる。
【０００８】
一方、ガラス製品製造プロセスでは、ブランク又はパリソン側（パリソン成形金型）の温度制御がモールド側（最終容器形状）の温度制御と大きく異なることを考慮することが重要である。
【０００９】
一部のシステムは、ウィルヘルム・シュナイダーの特許文献５に示されるような、ブランク又はパリソン金型の冷却に焦点を合わせており、特許文献５は、溶融ガラス又は他の熱可塑性材料を成形する機械の成形工具であって、圧力流体によって冷却可能であり且つ第１旋回軸を中心に回転可能である成形工具のための冷却システムであって、出口開口部を有する少なくとも１つの固定供給導管と、第１旋回軸の周りで供給導管に対して回転可能な成形工具用の圧力分配装置と、各供給導管を圧力流体分配装置に連結するように配置され且つ第２旋回軸を中心に回転可能な関節式導管部品を有する連結導管であって、第２旋回軸は圧力流体分配装置に対して固定され且つ第１旋回軸に平行である連結導管とを含み、関節式導管部品は供給導管の出口開口部と一定の連通状態にある入口開口部を有し、関節式導管部品は旋回軸に垂直な移動平面内で供給導管に対して移動可能である冷却システムに言及している。
【００１０】
しかしながら、使われる動作原理の１つは、パリソン成形において、温度制御が非常に正確でなければならないものであり、すなわち、容器全体の理想的な厚さ分布を維持するためにブランク又はパリソン金型の等温線を維持することが非常に重要である。金型内の温度のばらつきは、ある部分が冷たいと、ガラスはその部分が厚くなり、熱いと薄くなることを意味する。いずれかの領域の過度温度は、パリソンをその移送及びモールド側での保管のために十分に剛性にしないので、予備成形を変形させて制御不能にする可能性がある。
【００１１】
モールド側に関しては、可能な限り大きな冷却が必要であるため、温度制御はそれほど重要ではない。金型が速く冷えるほど、容器は金型と接触している場合に速く固まり、その結果、金型は既に固まった製品を取り出すために速く開かれる。
【００１２】
モールド側を冷却することに焦点を当てた一部の発展形態は、例えばリチャード・カークマンによる特許文献６であり、特許文献６は、一対の相補的な金型アームを含み、アームを互いに向かって移動させると金型半体が複数の空洞を形成するように各アームが金型半体を支持する金型冷却装置に言及している。各金型アームは、圧力下の空気が供給される第１空気チャンバーと、第１チャンバーと連通し且つ各金型半体の実質的に全長に面する開口部を有する第２空気チャンバーとを支持する。拡散板が各第２チャンバーを閉じ、そのそれぞれの金型半体に近接して配置される。拡散板は、第２チャンバーからの空気を金型半体に向かわせるための開口部を有する。各金型半体は、金型半体と外部との間の空間から延びる軸方向排気開口部を有する。金型冷却装置は、単一の空洞及び複数の空洞の金型装置に適用することができる。複数の空洞の形態が使用される場合、二次供給源から金型半体内の相互接続された軸方向通路への圧縮空気の導入によって補助的な冷却が利用される。
【００１３】
モールド側の別の発展形態は、ダニエル・ニューソンらの特許文献７に記載されおり、特許文献７は、ガラス製品成形機が、冷却空気出口開口部を有する機械セクションボックスと、セクションボックスより上に配置され且つ金型開位置と金型閉位置との間で移動可能な少なくとも１つの金型搬送アームと、出口開口部から金型アームに冷却空気を送達する手段とを含むことを記載している。開示のこの態様による機械は、冷却空気を送達する手段が、軸の周りで旋回するようにセクションボックスに取り付けられ且つセクションボックスの出口開口部と一致するバルブプレート開口部を有するバルブプレートを含む点を特徴とする。圧力プレートが、バルブプレートを覆う金型搬送アームに取り付けられ、バルブプレート開口部と一致する圧力プレート開口部を有する。バルブプレートと圧力プレートとの連結は、冷却空気がバルブプレートと圧力プレートを通して金型搬送アームに連続的に供給されるように、金型開位置と金型閉位置との間の金型搬送アームの動きに応じてセクションボックス上でバルブプレートを旋回させる。連結は、好ましくは、金型アームの動きが開方向又は閉方向のいずれかの初動中にバルブプレートに伝えないようにロストモーション連結である。
【００１４】
いくつかの他の金型冷却システムがあるにもかかわらず、大部分が特にブランク又はパリソン側か又はモールド側に焦点を合わせている。
【００１５】
既知の冷却システムの別の欠点は、異なるサイズの容器の製造のために、金型を交換する必要があるときはいつでも、ブランク又はパリソン反転中心を調節するために装置を適合させる必要があることである。すなわち、冷却装置は、より大きいか又はより小さいガラス予備成形物に適合するように変更されなければならないので、新しいブランク又はパリソン金型の反転中心に適合するように他の様々な部品と組み立て及び／又は分解されなければならない。これはすべて製品ごとの変更及び動作を意味しているため、装置は変更及び動作のそれぞれのために高コストになる。
【先行技術文献】
【特許文献】
【００１６】
【特許文献１】米国特許第１，８７５，２０２号明細書
【特許文献２】米国特許第３，３５５，２７７号明細書
【特許文献３】米国特許第４，２５１，２５３号明細書
【特許文献４】米国特許第４，５０２，８７９号明細書
【特許文献５】米国特許第４，７０１，２０３号明細書
【特許文献６】欧州特許第０６１２６９９号明細書
【特許文献７】米国特許第８，３１６，６７０号明細書
【発明の概要】
【発明が解決しようとする課題】
【００１７】
以上のことから、本発明は、パリソン金型とブロー成形金型の両方の冷却に適合し且つ容器成形サイクル（３６０°）中に連続的に冷却するために使用ことができ又はプロセスの必要に応じてプログラムされた方法で冷却空気を供給することができる、ガラス容器成形機用の金型冷却方法及びシステムに関する。
【００１８】
前述の発明のガラス容器成形機用の金型冷却方法及びシステムの別の利点は、金型クランプ、インサート金型ホルダー及び金型のみを必要とし、個別のボックスが空気を供給し且つブランク又はパリソン金型の方に及び最終吹き込み成形金型に空気を向けるのを避けることである。
【００１９】
ガラス容器成形機用の金型冷却方法及びシステムの更なる利点は、プレスブロー細口（ＰＳＢＡ）、プレスアンドブロー（ＰＳ）又はブローアンドブロー（ＳＳ）プロセスの両方で使用できることである。
【００２０】
ガラス容器成形機用の金型冷却方法及びシステムの更に別の利点があり、それは、このような金型をそれらの開位置と閉位置の両方で冷却することができ、金型の熱伝達を改善するために、このような金型内の複数の軸方向冷却通路を通る冷却空気の流れを提供することができることである。
【００２１】
ガラス容器成形機用の金型冷却方法及びシステムの別の利点は、装置を減少させ、予備成形物の反転中心を変えることに関して成形の変更をより速くし且つより大きな汎用性を有することを可能にする。
【００２２】
ガラス容器成形機用の金型冷却方法及びシステムの更なる利点は、ブランク又はパリソン金型又は最終ブロー金型の高さに応じて調節可能なことである。
【００２３】
ガラス容器成形機用の金型冷却方法及びシステムの更なる利点は、成形機の構造体のプレナムチャンバーから金型に直接空気を移送することである。
【００２４】
ガラス容器成形機用の型冷却方法及びシステムの利点は、例えば、４つ組みから３つ組みの空洞、４つ組みから２つ組みの空洞、３つ組みから２つ組みの空洞などの異なる空洞のシステムに容易に適合可能なことである。
【００２５】
ガラス容器成形機用の型冷却方法及びシステムの別の利点は、変更が容易であり、維持費が低減されることである。
【００２６】
ガラス容器成形機用の金型冷却方法及びシステムの更なる利点は、ブランク又はパリソン金型又は最終ブロー金型、並びに冷却ボックスのすべての重量が、ピストン機構の構造体又は底部機構の構造体によって支持され、金型の直接支持によるクランプのジョーの劣化を回避することである。
【００２７】
ガラス容器成形機用の金型冷却方法及びシステムの最終的な利点は、ジョーがもはや（金型及びボックスを支持するための）それほど多くの荷重を受けないので、ジョーの耐用年数が増加することである。
【００２８】
要約すると、前述の発明による、ガラス容器成形機用の金型冷却方法及びシステムの利点は、以下の通りである。
・複数の機械セクション及び複数の空洞を含むタイプのガラス製品成形機における、ブローブロー、プレスブロー又は細口ブロープレスプロセスを用いた、ボトル、瓶、グラス及び他のガラス製品のような中空ガラス製品の製造に適している。
・高価な装置を動作させる必要又はメンテナンス、修理、更新の必要なく、マルチセクションマシンでシステムを迅速に調節することができる。
【００２９】
本発明のこれら及び他の目的及び利点は、添付の図面と組み合わせて提供される本発明の特定の実施形態の以下の説明の分野の当業者には明らかになるであろう。
【図面の簡単な説明】
【００３０】
【図１】本発明の冷却システムの詳細な構造を示す、ガラス成形機の個々の成形ステーションの従来の斜視断面図である。
【図２】本発明の冷却システムを詳細に示す、図１から抜粋した正面断面図である。
【図３】本発明の冷却システムモジュールの従来の斜視図である。
【図４】本発明の冷却システムモジュールを示す、図３のモジュールの正面図である。
【図５】図３に示した本発明の冷却システムモジュールの上部を示す平面図である。
【図６】開放されたブランク又はパリソン金型を有する冷却システムを示す、ブランク又はパリソン側の正面断面の概略図である。
【図６Ａ】図１及び２に示す機械構造物のフレーム内に配置された圧力及び冷却流を安定させるためのプレナムボックスの上部プレートを平面図で概略的に示す。
【図６Ｂ】図１及び２に示す機械構造物のフレーム内に配置された圧力及び冷却流を安定させるためのプレナムボックスの上部プレートを平面図で概略的に示す。
【図７】閉じたブランク又はパリソン金型を有する冷却システムを示す、ブランク又はパリソン側の正面断面の概略図である。
【図８】独立したチャンバーを有する一次分配器の詳細な構造の従来の斜視図である。
【図９】独立したチャンバーを有する一次分配器を詳細に示す、図８から抜粋した側面図である。
【図１０】独立したチャンバーを有する一次分配器の第２実施形態を詳細に示す、図８と同様の側面図である。
【図１１】モールド側の冷却システムを示す正面断面の概略図である。
【発明を実施するための形態】
【００３１】
本発明を、個別セクション（ＩＳ）のタイプのガラス製品成形機の構造体の特定の実施形態に関連して以下で説明する。同じ部分には同じ番号が付されている。
【００３２】
図１から１１によれば、ガラス成形機のパリソン成形ステーション１０が示されている。ガラスの製造において、機械の個別セクションはパリソン又はブランク成形構造物及び最終ブロー成形構造物を含むことに留意することが重要である。これらのプロセスは、プレスブロー細口、プレスブロー又はブローブローであることができる。図１及び２に示す実施形態によれば、パリソン構造物のみが参照されるが、同じ構成要素及び概念が吹き込み成形ステーションに適用可能である。
【００３３】
図１及び２には、機械支持フレーム１２と、機械の様々な機構を取り付けるために機械支持フレーム１２に取り付けられた機構支持フレーム１４と、図１に示すように、空洞ごとに移送可能且つ開封可能な第１クラウン金型１８と、空洞ごとに移送可能且つ開封可能な第２クラウン金型２０とを含み、各クラウン金型は直接向かい合って組み立てられた２つのクラウン金型半体２２、２４（図２）を有し、容器（図示せず）のクラウン成形空洞を画定する、パリソン成形ステーション１６と、一旦溶融ガラスの塊が供給されてバッフル機構ＭＯがその上に配置されると（図２）、パリソンＰ（図６及び７に図示）を成形する各空洞のためのブランク又はパリソン金型２６であって、各々がパリソン成形空洞Ｐと、ブランク又はパリソン金型半体２８、３０を冷却するための軸方向通路３２で表される冷却手段とを有する、２つの同様のブランク又はパリソン金型半体２８、３０（図２）によって形成されるブランク又はパリソン金型２６と、機構支持フレーム１４に取り付けられたブランク又はパリソン金型保持機構３６、３６Ｂに装着される保持部３４、３４Ｂによって表される取り付け手段が示されている。
【００３４】
ブランク又はパリソン金型保持機構３６は、図１から２に示すように、機構支持フレーム１４に取り付けられた取り付け要素３８、３８Ａで表される取り付け手段と、ブランク又はパリソン金型保持機構３６、３６Ｂを含む関節式装置において取り付けブラケット４４、４６内で旋回するように取り付けられた第１及び第２アーム４０、４２とを含み、ブランク又はパリソン金型半体２８、３０の各々が、保持部３４、３４Ｂによって、パリソンＰを成形するためにアーム４０、４２を開閉することによって開閉されることができる。
【００３５】
本発明のパリソン又は最終ブロー成形金型冷却システムを特に参照すると、機械支持フレーム１２は、後述するように、ブランク又はパリソン金型半体２８、３０の各々に加圧冷却空気を供給するためのプレナムボックス４８を含む。プレナムボックス４８は、長手方向開口部５１（図６Ａ）を有する第１上部プレート５０を有し、前記第１上部プレート５０は、プレナムチャンバー４８を密封するために、機械支持フレーム１２の上部にねじ結合される。各長手方向開口部５１のための長手方向プレート５２（図６Ｂ）が、各々、ブランク又はパリソン金型半体２８、３０の各々のための少なくとも１つの冷却ダクト５４を取り付けるために、互いに整列した一連の穴５３を含む。中央の長手方向プレート５２は、後述するようにシリンダーピストン組立体７６を受け入れるように準備されている。前記冷却ダクト５４は、冷却チャンバー６２に位置合わせされ且つ一致する関係にあり、前記冷却チャンバー６２は、後述するように、中空個別チャンバー６４（図３）を有する。各長手方向開口部５１によって、ダイキャリアプレートが配置され（図示せず）、ダイキャリアプレートはその結果、冷却ダクト５４と位置合わせされる。各冷却ダクト５４は、中空個別チャンバー６４の各々への空気出口のために、冷却ダクト５４の移行チャンバーとして機能する上端５６を有し、これは、１つ、２つ、３つ又は４つの部分から構成される型であり得る。
【００３６】
冷却ダクト５４は、プレナムボックス４８から来る加圧冷却空気の流れを制御するために、高い冷却空気流効率を有するタイマーバルブＶＴを含む。これらのプログラムで制御できるタイマーバルブＶＴは、ブランク又はパリソン側もしくはモールド側で必要とされるものに応じて、連続的に又は断続的に加圧冷却空気の流れを調節するものである。前記冷却ダクト５４は、ブランク又はパリソン金型もしくは最終ブロー金型に必要な反転中心に応じて、上又は下への移動で、上部プレート５０の各長手方向開口部５１に係合している長手方向プレート５２の穴５３のそれぞれを通って移動可能である。
【００３７】
第２上部プレート５８が第１上部プレート５０の上に配置され、前記第２上部プレート５８は、各冷却ダクト５４の各出口端５６に配置され且つ一致する出口ポート６０を有する。
【００３８】
冷却空気分配チャンバー６２（図３及び４）が第２上部プレート５８より上に配置され、前記冷却空気分配チャンバー６２は、各ブランク又はパリソン金型半体２８、３０又は最終的なブロー成形金型（図示せず）の半体の数に従って中空個別チャンバー６４に分割される。前記冷却チャンバー６２の中空個別チャンバー６４の各々は、第２上部プレート５８の出口ポート６０及び各冷却ダクト５４の出口端５６と一致する下部フレーム又は摩耗プレート６６を有する。冷却チャンバー６２の上部６８は、冷却空気を金型半体２８、３０の各々に排出するための空気出口開口部７０（図５、６、６Ａ及び７）を含む。支持プレート又はアンビル７２（図５）が、冷却チャンバー６２の上部６８によって配置され、空気出口開口部７０の各々と一致する。支持プレート又はアンビル７２は、加圧冷却空気をブランク又はパリソン金型半体２８、３０又は最終ブロー成形金型（図示せず）半体の各々に導くために、各ブランク又はパリソン金型半体２８、３０の軸方向通路３２のそれぞれと一致するように半円形開口部７４を有する。
【００３９】
第２上部プレート５８上に配置された冷却空気分配チャンバー６２は、一端が各金型半体２８、３０の下部構造に連結され、冷却空気分配チャンバー６２がアーム４０、４２の開閉及びパリソン金型２８、３０の開閉と共に移動するように、他端が駆動ピン７５によってアーム４０、４２の各々にそれぞれ配置される。
【００４０】
冷却空気分配チャンバー６２は、両方の部品の摩耗を減らすために特別に設計された「空気軸受け」の原理を使用するため、下部フレーム又は摩耗プレート６６上でのその移動の間、摩擦を直接発生しないことに留意することが重要である。アーム４０、４２の動きに応じて、冷却空気分配チャンバー６２を、円弧状、平行又は準平行の運動で移動させることができる。エアクッションの調節は、駆動ピン７５によって行われる。
【００４１】
ブランク又はパリソン金型半体２８、３０の各々は、ブランク又はパリソン金型保持機構３６によって保持されると記載されているが、最終ブロー金型又は金型、並びに冷却空気分配チャンバー６２の全重量は、ピストン機構の構造体又は底部機構の構造体によって支持され、金型の直接支持による支持アーム４０、４２の劣化を回避する。冷却空気分配チャンバー６２上の各金型半体の支持は、パリソン金型又は金型の半体を高さの完全な整列状態に保ち、クラウン又は底部との組み立てを容易にする。パリソン金型２６の半体２８、３０の下部は、支持プレート又はアンビル７２（図７）の支持面７３上に載置され、クラウン２２のライン２３の高さに対する許容範囲を維持する。冷却空気分配チャンバー６２の高さは、閉じた金型を有するクラウン２２のライン２３の高さと、一致していなければならない。
【００４２】
本発明の第２実施形態では、各冷却ダクト５４の上端５６は、各冷却ダクト５４と冷却空気分配チャンバー６２の個別中空チャンバー６４の各々との間の移行チャンバーとして機能する別個のチャンバーを有する一次分配器５７（図８及び９）を含む。
【００４３】
本発明の更なる実施形態では、プレナムボックス４８から来る加圧冷却空気の流れを制御するためのタイマーバルブＶＴが、ブランク又はパリソン側もしくはモールド側で必要とされるものに応じて、加圧冷却空気の流れを連続的又は断続的に制御するために、冷却空気分配チャンバー６２の個別中空チャンバー６４の各々の内部に配置される。
【００４４】
最後に、このタイプの配置は、パリソン金型及びブロー成形金型の両方の冷却に適合し、容器の成形サイクル（３６０°）中の連続的な冷却に使用することができ、又はプロセスの必要に応じてプログラムされた方法で冷却空気を供給することができる。
【００４５】
図１及び２に示すように、パリソン成形ステーション１６は、第２上部プレート５８によって垂直に保持されるシリンダ７８を含むシリンダーピストン組立体７６を含み、前記第２上部プレート５８は、ピストンロッド８２の上方又は下方への移動を可能にするための開口部８０を有する。ピストンロッド８２の上部は、容器のクラウンの成形中にクラウン金型半体２２、２４に対して中心に置かれる円錐上端を有する浮動ガイド８４（図６）を含む。
【００４６】
シリンダーピストン組立体７６は、金型のサイズに応じて、すなわち、より大きいか又はより小さい金型に適合するように、その高さを調節することを可能にする持ち上げ機構８４に連結され、予備成形物の新しい反転中心を、例えば１と３／４インチ（４４．４５ｍｍ）から７と１／４インチ（１８４．１５ｍｍ）の範囲内で維持又は選択し且つ／又は回転質量の中心を維持する。シリンダーピストン組立体７６の各々は支持ベース８６によって支持され、支持ベース８６は、機械支持フレーム１２のプレナムチャンバー４８のフレームの下部に係合されたマイクロメートル高さ調節ねじ８８を有する。また、ねじ８８を用いて又は電動システム（図示せず）を用いてシリンダーピストン組立体７６の高さを調節するためのギアシステム又は調節レバー９０。
【００４７】
シリンダーピストン組立体７６及び各冷却管５４が第２上部プレート５８に連結されているので、シリンダーピストン組立体７６の上方又は下方への調節動作によって、各冷却管５４の同時調節も、その結果として冷却空気分配チャンバー６２の高さ調節も可能になる。冷却空気分配チャンバー６２の高さの調節は、各金型の高さによって決まる。
【００４８】
本発明によれば、予備成形物又はパリソンＰの成形プロセスは、クラウン金型半体２２、２４が配置され、続いてブランク又はパリソン金型半体２８、３０のが閉じられ、ガラス塊がブランク又はパリソン金型の中に落ちると行われる。ピストンロッド８０の上部は成形ピストンホルダー（図示せず）を含み、成形ピストンホルダーは、容器（図示せず）のクラウンを成形するための装填位置に配置され、次にパリソン又は予備成形物Ｐの成形のための押圧を可能にする上方への移動を有する。
【００４９】
予備成形物の成形又は最終ブローの間、機械構造物１２の底部に位置するボックス構造４８から来る冷却空気が、冷却管５４の各々に導入される。タイマーバルブＶＴのプログラミングに応じて、バルブは、冷却空気流の通過を可能にするために開閉する。空気流は、各冷却管の出口端５６に導かれ、第２上部プレート５８の出口ポート６０を通過し、冷却チャンバー６２の個別中空チャンバー６４の各々に供給される。最後に、冷却空気は、個別中空チャンバー６４の上部６８に向けられ、その空気出口開口部７０を通過する。前記空気出口開口部７０は、支持プレート又はアンビル７２の半円形溝７４の各々と一致し、最終的に冷却のために各パリソン金型半体２８、３０の軸方向通路３４までそれを通る。各金型半体２８、３０は、独立した制御を有する冷却ダクト５４を有する。
【００５０】
上述のように、冷却空気の流れは、プロセスの種類に応じて調節することができ、例えば、細口ブロープレス（ＰＳＢＡ）プロセスの場合、ブランク又はパリソン側は、タイマーバルブＶＴによってプログラムすることができるより適切な温度制御を必要とする。ブランク又はパリソン金型は、冷却をあまり必要としないが、より制御され、断続的に冷却することを含む。モールド側では、可能な限り大きな冷却が必要である。金型が速く冷えるほど、容器は速く固まり、その結果、金型は容器を取り出すために速く開く。
【００５１】
最後に、ブランク又はパリソン側の実施形態について説明してきたが、このシステムはモールド側にも適応可能である。図１１には、図２に示したものと非常に類似した構成の最終吹き込み成形ステーション９２が示されている。この場合、２つの半体９４、９６を含む最終ブロー金型は、最終的なガラス製品を成形するために、アーム１０２、１０４を開閉することによってブロー金型半体９８、１００を開閉することができるように、ブロー金型保持機構９８、１００を含む。
【００５２】
冷却管５４は、第２上部プレート５８に連結される。底部機構１０６は、冷却管５４及び上部プレート５８を同時に上昇又は下降させるために上部プレート５８より下に連結される。第２上部プレート５８は、金型半体９４、９６が組み立てられると、容器の最終成形のための空洞が画定されるように、その上部に取り付けられた空洞ごとの容器底型１０８を有する。
【００５３】
上記から分かるように、中空ガラス製品の製造用の金型を冷却するシステムは、ピストン機構又は底部機構のいずれかによって動作中であるように記載されている。従って、本分野の専門家には、以下の特許請求の範囲によって決定される分野内で考慮され得る他の多くの特徴又は改良がなされ得ることが明らかであろう。
【図１】
2018538232.tif 000003
【図２】
2018538232.tif 000004
【図３】
2018538232.tif 000005
【図４】
2018538232.tif 000006
【図５】
2018538232.tif 000007
【図６】
2018538232.tif 000008
2018538232.tif 000009
【図６Ａ】
2018538232.tif 000010
【図７】
2018538232.tif 000011
【図８】
2018538232.tif 000012
【図９】
2018538232.tif 000013
【図１０】
2018538232.tif 000014
【図１１】
2018538232.tif 000015
【国際調査報告】
2018538232.tif 000016
2018538232.tif 000017
2018538232.tif 000018
2018538232.tif 000019
2018538232.tif 000020
2018538232.tif 000021
2018538232.tif 000022
2018538232.tif 000023
2018538232.tif 000024
2018538232.tif 000025